(57)【要約】【課題】光信号に応じて識別電圧を調整することができる光受信回路を提供する。【解決手段】ＰＤ１１０は、受信光を受光し、電流信号に変換し、ＴＩＡ１２０及び光強度測定部２１０に供給する。ＴＩＡ１２０は、電流信号を電圧信号に変換し、ＣＤＲ回路３１０に供給する。ＣＤＲ回路１３０は、電圧信号を０データ又は１データに識別して再生し、外部に送信するとともに、カウンタ４００に供給する。カウンタ４００は、０データ及び１データをそれぞれカウントし、その比率を求め、制御部７００に供給する。制御部７００は、光強度測定部２１０からの光強度データとＲＯＭ６１０とを参照して、最適比率を取得し、カウンタ４００から供給された比率が最適比率であるか否かを判別する。最適比率ではない場合、制御部７００は、比率が最適比率になるように識別電圧設定部５００を制御して識別電圧を設定する。【選択図】図２
2010011248.tif 000002
【特許請求の範囲】
【請求項１】
光信号を電気信号に変換する変換手段と、
前記光信号の所定の物理量を測定する測定手段と、
前記電気信号の信号レベルとレベル閾値とに基づいてデータ信号を識別再生する識別再生手段と、
前記識別再生手段によって識別再生されたデータ信号を符号毎にカウントし、符号毎のカウント数から比を求める比取得手段と、
前記レベル閾値を設定する閾値設定手段と、
前記物理量に応じた所定の比を記憶する記憶手段と、
前記記憶手段に記憶されている前記所定の比のうち前記測定手段によって測定された物理量に応じた前記所定の比を取得し、前記比取得手段に前記比を取得させ、該比と該所定の比とが異なるか否かを判別し、判別結果に基づいて、該所定の比を参照して前記閾値設定手段に所定のレベル閾値を設定させる制御手段と、
を備えることを特徴とする光受信回路。
【請求項２】
前記制御手段は、前記比と前記所定の比とが異なると判別した場合、前記比取得手段が取得する比が該所定の比になるようなレベル閾値を前記閾値設定手段に設定させる、
ことを特徴とする請求項１に記載の光受信回路。
【請求項３】
前記光受信回路は、前記レベル閾値の設定が可能な範囲を設定する範囲設定手段をさらに備え、
前記制御手段は、前記測定手段によって測定された物理量に応じた所定の比を取得し、前記比取得手段に前記比を取得させ、該比と該所定の比とが異なるか否かを判別し、判別結果に基づいて、該所定の比を参照して前記閾値設定手段に前記範囲設定手段によって設定された範囲内の所定のレベル閾値を設定させる、
ことを特徴とする請求項１又は２に記載の光受信回路。
【請求項４】
前記範囲設定手段は、前記測定手段によって測定された物理量に応じて前記範囲を設定する、
ことを特徴とする請求項３に記載の光受信回路。
【請求項５】
前記所定の物理量は、光強度及び波長分散量のうち少なくともいずれか１つである、
ことを特徴とする請求項１乃至４のいずれか１項に記載の光受信回路。
【請求項６】
前記変換手段は、フォトダイオードから構成される、
ことを特徴とする請求項１乃至５のいずれか１項に記載の光受信回路。
【請求項７】
前記識別再生手段は、クロックデータリカバリ回路から構成される、
ことを特徴とする請求項１乃至６のいずれか１項に記載の光受信回路。
【請求項８】
光信号を電気信号に変換する変換ステップと、
前記光信号の所定の物理量を測定する測定ステップと、
前記電気信号の信号レベルとレベル閾値とに基づいてデータ信号を識別再生する識別再生ステップと、
前記識別再生ステップで識別再生されたデータ信号を符号毎にカウントし、符号毎のカウント数から比を求める比取得ステップと、
前記物理量に応じた所定の比を取得するステップと、
予め記憶されている所定の比のうち前記測定ステップで測定された物理量に応じた前記所定の比と前記比取得ステップで取得した比とが異なるか否かを判別し、判別結果に基づいて、該所定の比を参照して前記レベル閾値を設定するステップと、
を備えることを特徴とする光受信方法。
【発明の詳細な説明】
【技術分野】
【０００１】
本発明は、光受信回路及び光受信方法に関する。
【背景技術】
【０００２】
光受信回路は、光通信システムにおいて幅広く利用されている。光受信回路は、受信した光を識別再生する識別再生回路を備える。識別再生回路は、まず、光信号から変換された電気信号のパルス波形の振幅と所定の閾値（以下「識別閾値」という。）との大小を判別する。識別再生回路は、該振幅が該識別閾値よりも小さい場合に「０」と判別し、大きい場合に「１」と判別する。そして、識別再生回路は、それぞれ「０」を示すデータ信号（以下「０データ」という。）又は「１」を示すデータ信号（以下「１データ」という。）に再生し、外部に出力する。
一般に、基幹系のデジタル光伝送システムで使用されるデータは、スクランブル処理が施されている。このため、識別再生回路で識別再生される０データと１データとの割合は等しい。
【０００３】
スクランブル処理が施されたディジタルデータの特性を利用した識別再生回路を備える光受信器が特許文献１に開示されている。
【０００４】
特許文献１に開示された光受信器は、識別閾値補正回路を備える。この識別閾値補正回路は、識別再生回路で再生される０データと１データとの割合が等しくなるように識別再生回路に設定されている識別電圧を補正する。
【特許文献１】特開２００３−１９８４７５号公報（第３，４頁、図１）
【発明の開示】
【発明が解決しようとする課題】
【０００５】
しかしながら、識別再生回路に供給される電気信号の信号波形は理想的なパルス波形ではなく、フォトダイオードで発生する雑音等によって歪む。したがって、０データと１データとの割合が等しくなるように識別電圧を設定したとしても、符号誤り率ＢＥＲ（Bit Error Rate）が実用化に適さない程大きくなる場合がある。つまり、符号誤り率ＢＥＲは、光受信回路が受信する受信光の強度および波形歪み等によって変化する。
【０００６】
例えば、フォトダイオードとＯＳＮＲ（Optical signal-to-noise ratio: 「光ＳＮ比」）が良好な増幅器とを備える光受信回路が波形歪みのない光信号を受信する場合、フォトダイオードで発生するショット雑音よりも増幅器の熱雑音がはるかに大きい。この場合、識別電圧が、電気信号の信号波形が示すアイパターンの０レベルと１レベルとの中心近傍の値に設定されているときに、０データと１データとの割合が等しくなる。
【０００７】
一方、光信号の光強度が大きい場合、増幅器で発生する熱雑音よりも受光素子で発生するショット雑音がはるかに大きい。このため、信号波形が示すアイパターンの１レベル側の雑音が大きくなる。この場合、識別電圧がアイパターンの０レベル近傍の値に設定されているときに、０データと１データとの割合が等しくなると考えられる。ところがこの場合、符合誤り率ＢＥＲは識別電圧が１レベル近傍の値に設定されていても十分小さい。したがって、識別電圧をアイパターンの中心近傍の値に設定しても良好な受信特性が得られる。
【０００８】
また、光信号の光強度だけでなく、例えば、光信号の波長分散による波形歪みによっても符号誤り率ＢＥＲは変化する。
【０００９】
このように、符号誤り率ＢＥＲは光信号の強度または波長分散等によって変化する。それに伴って、最適な識別電圧も光信号の強度等によって変化する。しかしながら、特許文献１に開示された光受信器は、受信光の光強度等について考慮されていなかった。
【００１０】
本発明は、上記の問題を解決するためになされたものである。本発明は、光信号に応じて識別電圧を調整することができる光受信回路および光受信方法を提供することを目的とする。
【課題を解決するための手段】
【００１１】
上記の目的を達成するために、本発明の第１の観点に係る光受信回路は、光信号を電気信号に変換する変換手段と、前記光信号の所定の物理量を測定する測定手段と、前記電気信号の信号レベルとレベル閾値とに基づいてデータ信号を識別再生する識別再生手段と、前記識別再生手段によって識別再生されたデータ信号を符号毎にカウントし、符号毎のカウント数から比を求める比取得手段と、前記レベル閾値を設定する閾値設定手段と、前記物理量に応じた所定の比を記憶する記憶手段と、前記記憶手段に記憶されている前記所定の比のうち前記測定手段によって測定された物理量に応じた前記所定の比を取得し、前記比取得手段に前記比を取得させ、該比と該所定の比とが異なるか否かを判別し、判別結果に基づいて、該所定の比を参照して前記閾値設定手段に所定のレベル閾値を設定させる制御手段と、を備えることを特徴とする。
【００１２】
また、本発明の第２の観点に係る光受信方法は、光信号を電気信号に変換する変換ステップと、前記光信号の所定の物理量を測定する測定ステップと、前記電気信号の信号レベルとレベル閾値とに基づいてデータ信号を識別再生する識別再生ステップと、前記識別再生ステップで識別再生されたデータ信号を符号毎にカウントし、符号毎のカウント数から比を求める比取得ステップと、予め記憶されている所定の比のうち前記物理量に応じた前記所定の比を取得するステップと、前記測定ステップで測定された物理量に応じた前記所定の比と前記比取得ステップで取得した比とが異なるか否かを判別し、判別結果に基づいて、該所定の比を参照して前記レベル閾値を設定するステップと、備えることを特徴とする。
【発明の効果】
【００１３】
本発明によれば、光信号に応じて識別電圧を調整することができる光受信回路及び光受信方法を提供することができる。
【発明を実施するための最良の形態】
【００１４】
以下、図面を参照して本発明の実施の形態について説明する。
【００１５】
（第１の実施の形態）
第１の実施の形態に係る光受信回路１について、図１を参照して説明する。
光受信回路１は、受光部１００と、測定部２００と、識別再生部３００と、カウンタ４００と、識別電圧設定部５００と、記憶部６００と、制御部７００と、を備える。
【００１６】
受光部１００は、光受信回路１に入射した光信号を検出し、電気信号に変換して測定部２００及び識別再生部３００に供給する。
【００１７】
測定部２００は、光信号の所定の物理量を測定し、測定結果を制御部７００に供給する。測定部２００は、例えば光信号の光強度や波長分散量等を測定する。
【００１８】
識別再生部３００は、受光部１００から供給された電気信号と識別電圧設定部５００によって設定された識別電圧とに基づいてデータ信号を識別再生し、データ信号をカウンタ４００及び外部機器へと供給する。
【００１９】
カウンタ４００は、識別再生されたデータの各符号（０または１）の数を符号毎にカウントし、各符号のカウント数の比を求め、当該比を示すデータを制御部７００に供給する。
【００２０】
識別電圧設定部５００は、制御部７００の制御のもと、識別再生部３００に設定されている識別電圧を所定の識別電圧に設定する。
【００２１】
記憶部６００は、測定部２００が測定した光信号の所定の物理量に応じた最適な比（以下「最適比」という。）を記憶する。「最適比」とは、符号誤り率ＢＥＲが実用可能な程度に小さくなるときの０データと１データとの比をいう。
【００２２】
制御部６００は、測定部２００から供給された測定結果に基づいて記憶部６００から最適比率を読み出し、識別電圧設定部５００を制御して、カウンタ４００で求められる比率が最適比率になるような識別電圧を識別再生部３００に設定する。
【００２３】
（第２の実施の形態）
第１の実施の形態では、測定部２００が光信号の所定の物理量を測定する形態について説明した。第２の実施の形態では、測定部２００が光信号の光強度を測定する光強度測定部２１０である光受信回路２について図２〜４を参照して説明する。
【００２４】
光受信回路２は、図２に示すように、ＰＤ（Photodiode：「フォトダイオード」）１１０と、ＴＩＡ（Trans-Impedance Amplifier：「インピーダンス型増幅器」）１２０と、光強度測定部２１０と、ＣＤＲ（Clock Data Recovery：「クロックデータ再生」）回路３１０と、カウンタ４００と、識別電圧設定部５００と、ＲＯＭ（Read Only Memory）６１０と、制御部７００と、を備える。
【００２５】
ＰＤ１１０は、光受信回路２に入射した光信号を検出し、電流信号に変換してＴＩＡ１２０及び光強度測定部２１０に供給する。
【００２６】
ＴＩＡ１２０は、トランスインピーダンス型増幅器であり、ＰＤ１１０から供給された電流信号を電圧信号に変換し、ＣＤＲ回路３１０に供給する。
【００２７】
ＣＤＲ回路３１０は、ＴＩＡ１２０から供給された電圧信号の信号パルス列からクロック周波数成分を抽出する。それとともに、ＣＤＲ回路３１０は、信号パルスの識別時点での振幅を判別し、振幅が識別電圧Ｖ０よりも小さい場合は「０」と判別し、振幅が識別電圧Ｖ０よりも大きい場合は「１」と判別する。そして、ＣＤＲ回路３１０は、再度信号パルスに再生し、それぞれ０データ及び１データとしてカウンタ４００及び外部機器へと供給する。
【００２８】
カウンタ４００は、ＣＤＲ回路３１０から供給された０データまたは１データを別々にカウントし、０データのカウント数と１データのカウント数との比率を求める。例えば、０データのカウント数が１０６で、１データのカウント数が２．５×１０６である場合、カウンタ４００は、「２．５」という比率を求める。そして、カウンタ４００は、比率を示すデータを制御部７００に供給する。
【００２９】
識別電圧設定部５００は、制御部７００の制御のもと、ＣＤＲ回路３１０に設定されている識別電圧Ｖ０を所定の識別電圧に設定する。
【００３０】
ＲＯＭ６１０は、制御部７００が実行する処理のプログラムデータ等を格納する。特に、ＲＯＭ６１０は、光信号の光強度に対する最適比率を記憶する。「最適比率」とは、符号誤り率ＢＥＲが実用可能な程度に小さくなるときの０データと１データとの比率をいう。例えば、ＲＯＭ６１０には、図３（ａ）に示すような光強度と各光強度における最適比率とを対応付けたテーブルＴ１が格納されている。また、例えば、ＲＯＭ６１０には、図３（ｂ）に示すような光の波長分散と各波長分散における最適比率とを対応付けたテーブルＴ２が格納されている。
【００３１】
制御部７００は、マイクロプロセッサ等から構成され、記憶部６００に格納されているプログラムに従って、光受信回路２全体を制御する。
【００３２】
次に、光受信回路２の動作について、図４のフローチャートを参照して説明する。
【００３３】
光ファイバ等を介して光受信回路２に入射した光をＰＤ１１０が受光すると、制御部７００は、識別電圧設定処理を開始する。
【００３４】
まず、制御部７００は、識別電圧設定部５００を制御して、ＣＤＲ回路３１０の識別電圧を初期値に設定する（ステップＳ１００）。
【００３５】
次に、制御部７００は、光強度測定部２１０から供給される光強度データを取得する（ステップＳ１１０）。
【００３６】
制御部７００は、ＲＯＭ６１０に格納されているテーブルＴ１を参照して、ステップＳ１１０で取得した光強度に対応する最適比率を取得する（ステップＳ１２０）。
【００３７】
次に、制御部７００は、カウンタ４００から供給される０データと１データとの比率を示すデータを取得する（ステップＳ１３０）。
【００３８】
制御部７００は、ステップＳ１３０で取得した比率とステップＳ１２０で取得した最適比率とが異なるか否かを判別する（ステップＳ１４０）。
【００３９】
ステップＳ１３０で取得した比率と最適比率と同じであると判別した場合（ステップＳ１４０；Ｙｅｓ）、制御部７００は、識別電圧設定処理を終了する。
【００４０】
一方、ステップＳ１３０で取得した比率と最適比率とが異なると判別した場合（ステップＳ１４０；Ｎｏ）、制御部７００は、識別電圧設定部５００を制御して、ＣＤＲ回路３１０に設定されている識別電圧を、カウンタ４００から供給される比率が最適比率になるような識別電圧に設定する（ステップＳ１５０）。そして、制御部７００は、処理をステップＳ１３０に戻す。したがって、制御部７００は、カウンタ４００から供給される受信光の比率が最適比率になるまでステップＳ１３０〜ステップＳ１５０の処理を繰り返す。
【００４１】
この識別電圧設定処理により、光受信回路２は、識別再生回路の識別電圧を、符号誤り率ＢＥＲが実用化可能な程度に十分低い値になるような識別電圧に設定することができる。
【００４２】
（第３の実施の形態）
第２の実施の形態に係る光受信回路では、例えば信号波形が図５（ａ）に示すような波形で、識別電圧が同じく図５（ａ）に示す値Ｖ０である場合、ＣＤＲ回路３１０は、全ての受信データを０データとして識別再生する。したがって、識別電圧がアイパターンの０レベル近傍又は１レベル近傍に設定されるのを防止する必要がある。
【００４３】
そこで、図６に示すように、光受信回路２の構成に、識別電圧の設定範囲を予め定められた範囲に制限するリミッタ８００を設ける。リミッタ８００は、例えば、識別電圧設定部５００が図５（ｂ）の斜線部で表された範囲にのみ識別電圧を設定することができるように制御する。
【００４４】
リミッタ８００は、識別電圧の設定範囲を制限する制限範囲が予め設定されている。リミッタ８００は、制御部７００から供給される識別電圧の設定値を取得し、その設定値が制限範囲内の値であるか否かを判別する。取得した設定値が制限範囲内の値であると判別した場合、リミッタ８００は、設定値を識別電圧設定部５００に供給する。一方、取得した設定値が制限範囲外の値であると判別した場合、リミッタはその旨を制御部７００に通知する。
【００４５】
次に、光受信回路３の動作について、図７のフローチャートを参照して説明する。
【００４６】
光ファイバ等を介して光受信回路２に入射した光をＰＤ１１０が受光すると、制御部７００は、識別電圧設定処理を開始する。
【００４７】
まず、制御部７００は、図４のフローチャートのステップＳ１００〜ステップＳ１４０の処理を実行する。
【００４８】
ステップＳ１３０で取得した比率と最適比率とが同じであると判別した場合（ステップＳ１４０；Ｙｅｓ）、制御部７００は、識別電圧設定処理を終了する。
【００４９】
一方、ステップＳ１３０で取得した比率と最適比率とが異なると判別した場合（ステップＳ１４０；Ｎｏ）、制御部７００は、識別電圧の設定値をリミッタ８００に供給する（ステップＳ２００）。
【００５０】
次いで制御部７００は、リミッタ８００に供給した設定値がリミッタ８００に予め定められた制限範囲外の値であるとの通知がリミッタ８００から供給されたか否かを判別する（ステップＳ２１０）。
【００５１】
リミッタ８００から上記通知が供給されたと判別した場合（ステップＳ２１０；Ｙｅｓ）、制御部７００は、処理をステップＳ２００に戻し、前回リミッタ８００に供給した設定値とは異なる設定値をリミッタ８００に供給する（ステップＳ２００）。したがって、制御部７００は、設定値がリミッタ８００に予め定められた制限範囲内の値になるまでステップＳ２００〜ステップＳ２１０の処理を繰り返す。
【００５２】
一方、リミッタ８００から上記通知が供給されなかったと判別した場合（ステップＳ２１０；Ｎｏ）、制御部７００は、識別電圧をリミッタ８００に供給した設定値に設定する（ステップＳ２２０）。そして、制御部７００は、処理をステップＳ１３０に戻す。したがって、制御部７００は、ステップＳ１３０で取得した比率が最適比率になるまでステップＳ１３０〜ステップＳ２２０の処理を繰り返す。
【００５３】
この識別電圧設定処理により、光受信回路３は、識別電圧がアイパターンの０レベル近傍又は１レベル近傍に設定されるのを防止することができる。したがって、光受信回路３は、受信データをすべて１データまたは０データとして識別再生されることを防止することができる。
【００５４】
（第４の実施の形態）
第１〜第３の実施の形態に係る光受信回路は、識別再生回路の識別電圧を変化させることで、符号誤り率ＢＥＲを実用可能なほど十分に小さい値にすることができる。しかしながら、符号誤り率ＢＥＲは、識別電圧が変化すると、大きく変化する場合がある。
【００５５】
例えば、識別電圧に対する符号誤り率ＢＥＲは、図８に示すような挙動を示し、光強度が低下するに従って、急峻なカーブを描く。そして、光強度が最も小さい−１２ｄＢｍの場合（図８の○で示すカーブ）、識別電圧がわずかに変化しただけで符号誤り率ＢＥＲが急激に上昇又は低下する。
【００５６】
このような符号誤り率ＢＥＲの挙動は、光信号の光強度が変化する場合だけではなく、図９に示すように、光信号の波長分散量が変化する場合にも現れる。
【００５７】
したがって、識別電圧の設定可能な範囲を光信号の光強度等の変化に応じて変化させる必要がある。
【００５８】
そこで、図１０に示すように、光受信回路２の構成にレベル変動部９００を追加する。
【００５９】
レベル変動部９００は、光強度測定部２１０と制御部７００とに接続される。レベル変動部９００は、光強度測定部２１０から供給される光強度データを取得し、光強度に応じた識別電圧の設定範囲を定める。そして、レベル変動部９００は、設定範囲を示すデータを制御部７００に供給する。例えば、識別電圧に対する符号誤り率ＢＥＲが図１１に示すような挙動を示す場合、レベル変動部９００は設定範囲を、光強度が−１２ｄＢｍのときは０．８７Ｖ〜０．９２Ｖに設定し、−３ｄＢｍのときは１．１０Ｖ〜１．３５Ｖに設定する。
【００６０】
次に、光受信回路４の動作について、図１２のフローチャートを参照して説明する。
【００６１】
光ファイバ等を介して光受信回路４に入射した光をＰＤ１１０が検出すると、制御部７００は、識別電圧設定処理を開始する。
【００６２】
まず、制御部７００は、図４のフローチャートのステップＳ１００〜ステップＳ１４０の処理を実行する。
【００６３】
ステップＳ１３０で取得した比率と最適比率とが同じであると判別した場合（ステップＳ１４０；Ｙｅｓ）、制御部７００は、識別電圧設定処理を終了する。
【００６４】
一方、ステップＳ１３０で取得した比率と最適比率とが異なると判別した場合（ステップＳ１４０；Ｎｏ）、制御部７００は、レベル変動部９００から識別電圧の設定範囲を取得する（ステップＳ３００）。
【００６５】
次に、制御部７００は、ステップＳ３００で取得した設定範囲内の設定値を識別電圧設定部５００に供給し、ＣＤＲ回路３１０の識別電圧を設定する（ステップＳ３１０）。そして、制御部７００は、処理をステップＳ１３０に戻す。したがって、制御部７００は、符号誤り率ＢＥＲが実用可能なほどに十分小さい値になるまで識別電圧の設定を繰り返す。
【００６６】
この識別電圧設定処理により、光受信回路４は、光信号の光強度等の変化に追従して識別電圧の設定可能な範囲を変化させることができる。
【００６７】
（第５の実施の形態）
第４の実施の形態に係る光受信回路４では、識別電圧の設定範囲に０レベル近傍または１レベル近傍が含まれる場合がある。そこで、光受信回路４にリミッタ８００を加えてもよい。
【００６８】
本実施の形態に係る光受信回路５の構成は、図１３に示すように、光受信回路４にリミッタ８００を加えた構成である。
【００６９】
リミッタ８００とレベル変動部９００とは、それぞれ光受信回路３と光受信回路４とに設けられたものと同一のものである。
【００７０】
次に、光受信回路５の動作について、図１４のフローチャートを参照して説明する。
【００７１】
光ファイバ等を介して光受信回路５に入射した光をＰＤ１１０が受光すると、制御部７００は、識別電圧設定処理を開始する。
【００７２】
まず、制御部７００は、図４のフローチャートのステップＳ１００〜ステップＳ１４０の処理を実行する。
【００７３】
ステップＳ１３０で取得した比率と最適比率とが同じであると判別した場合（ステップＳ１４０；Ｙｅｓ）、制御部７００は、識別電圧設定処理を終了する。
【００７４】
一方、ステップＳ１３０で取得した比率と最適比率とが異なると判別した場合（ステップＳ１４０；Ｎｏ）、制御部７００は、レベル変動部９００から識別電圧の設定範囲を取得する（ステップＳ４００）。
【００７５】
制御部７００は、ステップＳ４００で取得した設定範囲内の設定値をリミッタ８００に供給する（ステップＳ４１０）。
【００７６】
次に、制御部７００は、リミッタ８００から、リミッタ８００に供給した設定値がリミッタ８００に予め設定されている制限範囲内にない旨の通知がされたか否かを判別する。
【００７７】
リミッタ８００から通知があると判別した場合（ステップＳ４２０；Ｙｅｓ）、制御部７００は、処理をステップＳ４００に戻す。したがって、制御部７００は、リミッタ８００から通知がされなくなるまでステップＳ４００〜ステップＳ４２０の処理を繰り返す。
【００７８】
一方、リミッタ８００から通知があると判別した場合（ステップＳ４２０；Ｎｏ）、制御部７００は、ＣＤＲ回路３１０の識別電圧を設定値に設定する（ステップＳ４３０）。そして、制御部７００は、処理をステップＳ１３０に戻す。したがって、制御部７００は、符号誤り率ＢＥＲが実用可能なほどに十分小さい値になるまで識別電圧の設定を繰り返す。
【００７９】
この識別電圧設定処理により、光受信回路５は、識別電圧を受信光の光強度に追従させるとともに、識別電圧をアイパターンの０レベルまたは１レベル近傍の値に設定するのを防ぐことができる。
【００８０】
以上、本発明の実施の形態について説明したが、本発明を実施するにあたっては、種々の変形及び応用が可能であり、上記実施の形態に限られるものではない。
【００８１】
上記実施の形態では、光強度を測定する光強度測定部を備えた場合について説明したが、これに限らず、例えば、光の波長分散量を測定する波長分散測定器を備えてもよい。
【００８２】
また、識別電圧を設定する方法として、例えば、ＣＤＲ回路３１０の入力部回路に図１５に示すような回路３１０ａを設ける。識別電圧設定部５００によって識別電圧が設定されたときに、設定された識別電圧に回路３１０ａ上で変更するために、直流電圧でオフセット調整することによって識別電圧を変更する。設定した識別電圧を回路３１０ａで抵抗分割させてオフセット分の電圧を与える。基準電圧とは、識別電圧に対しての電圧で、識別電圧に対して振幅値を持たせているものである。コンデンサは、入力信号に対するＡＣカップリングとして用いられる。
【図面の簡単な説明】
【００８３】
【図１】第１の実施の形態に係る光受信回路の構成例を示す図である。
【図２】第２の実施の形態に係る光受信回路の構成例を示す図である。
【図３】第２の実施の形態に係る光受信回路のＲＯＭ(Read Only Memory)に格納されているデータのデータ構成例を示す図である。（ａ）は、光強度と最適比率とを対応付けたデータのデータ構成の一例を示し、（ｂ）は、波長分散と最適比率とを対応付けたデータのデータ構成の一例を示す。
【図４】第２の実施の形態に係る光受信回路が実行する識別電圧設定処理のフローチャートである。
【図５】（ａ）、（ｂ）は、識別電圧と光信号が示すアイパターンとの関係を示す図である。
【図６】第３の実施の形態に係る光受信回路の構成例を示す図である。
【図７】第３の実施の形態に係る光受信回路が実行する識別電圧設定処理のフローチャートである。
【図８】光強度と符号誤り率ＢＥＲ（Bit Error Rate）との関係を示す図である。
【図９】光の波長分散と符号誤り率ＢＥＲとの関係を示す図である。
【図１０】第４の実施の形態に係る光受信回路の構成例を示す図である。
【図１１】光強度と符号誤り率ＢＥＲとの関係を示す図である。
【図１２】第４の実施の形態に係る光受信回路が実行する識別電圧設定処理のフローチャートである。
【図１３】第５の実施の形態に係る光受信回路の構成例を示す図である。
【図１４】第５の実施の形態に係る光受信回路が実行する識別電圧設定処理のフローチャートである。
【図１５】ＣＤＲ（Clock Data Recovery）回路の入力部回路の構成例を示す図である。
【符号の説明】
【００８４】
１，２，３，４，５・・・光受信回路
１００・・・受光部
１１０・・・フォトダイオード
１２０・・・ＴＩＡ（Trans-Impedance Amplifier）
２００・・・測定部
２１０・・・光強度測定部
３００・・・識別再生部
３１０・・・ＣＤＲ（Clock Data Recovery）回路
３１０ａ・・・回路
４００・・・カウンタ
５００・・・識別電圧設定部
６００・・・記憶部
６１０・・・ＲＯＭ（Read Only Memory）
７００・・・制御部
８００・・・リミッタ
９００・・・レベル変動部
【図１】
2010011248.tif 000003
【図２】
2010011248.tif 000004
【図３】
2010011248.tif 000005
【図４】
2010011248.tif 000006
【図５】
2010011248.tif 000007
【図６】
2010011248.tif 000008
【図７】
2010011248.tif 000009
【図８】
2010011248.tif 000010
【図９】
2010011248.tif 000011
【図１０】
2010011248.tif 000012
【図１１】
2010011248.tif 000013
【図１２】
2010011248.tif 000014
【図１３】
2010011248.tif 000015
【図１４】
2010011248.tif 000016
【図１５】
2010011248.tif 000017